(57)【特許請求の範囲】
【請求項１】
基礎地盤に設けられた基礎部の少なくとも下部側を構成するプレキャスト製のプレキャスト基礎部材と、
前記プレキャスト基礎部材に形成され、前記基礎地盤に建て込まれた杭の杭頭の上端面が、前記プレキャスト基礎部材の上面よりも下側に位置すると共に、充填材が充填された杭頭挿入部と、
前記杭頭挿入部に設けられ、前記杭頭挿入部に充填された前記充填材と応力を伝達する挿入部側応力伝達手段と、
前記杭頭の周壁に設けられ、前記杭頭挿入部に充填された前記充填材と応力を伝達する杭頭側応力伝達部材と、
を備える基礎構造。
【請求項２】
前記杭頭側応力伝達部材は、前記杭頭の周壁に接合されたフラットプレートである、
請求項１に記載の基礎構造。
【請求項３】
前記プレキャスト基礎部材は、前記基礎部の下部側を構成し、
前記プレキャスト基礎部材には、前記基礎部の上部側を構成する上部側基礎部との間で引張応力を伝達する引張応力伝達手段が設けられている、
請求項１又は請求項２に記載の基礎構造。
【請求項４】
前記プレキャスト基礎部材は、前記基礎部の下部側を構成し、
前記基礎部の上部側を構成する上部側基礎部が、プレキャスト製とされている、
請求項１〜請求項３のいずれか１項に記載の基礎構造。
【請求項５】
前記挿入部側応力伝達手段は、内面及び外面にシアコッターを有する鋼管である、
請求項１〜請求項４のいずれか１項に記載の基礎構造。
【請求項６】
前記挿入部側応力伝達手段は、内面及び外面にシアコッターを有する鋼管であり、
前記引張応力伝達手段は、前記鋼管の外面に接合された杭鉄筋である、
請求項３に記載の基礎構造。
【請求項７】
前記挿入部側応力伝達手段及び前記引張応力伝達手段は、前記杭頭挿入部に設けられると共に前記プレキャスト基礎部材の上面から突出する内面及び外面にシアコッターを有する鋼管である、
請求項３に記載の基礎構造。
【請求項８】
前記基礎部には、鉄骨梁と鋼管柱との仕口部が埋設され支持されている、
請求項１〜請求項７のいずれか１項に記載の基礎構造。
【発明の詳細な説明】
【技術分野】
【０００１】
本発明は、基礎構造に関する。
【背景技術】
【０００２】
特許文献１には、フーチングの高さ方向下部のみをプレキャスト化したＰＣフーチング部材に関する技術が開示されている。この先行技術では、杭頭部を挿入する杭頭挿入孔がＰＣフーチング部材に複数貫通形成されている。また、ＰＣフーチング部材の上面には、柱の柱脚部を固定するためのアンカープレートが埋め込まれている。
【０００３】
上記先行技術では、ＰＣフーチング部材の杭頭挿入孔に挿入される杭頭部の上端面は、ＰＣフーチング部材の上面に対して、面一又は略面一となっており、杭頭部上にはグラウト材が充填されていない。また、ＰＣフーチング部材の上面に設けられたアンカープレートに柱の軸力が入力される。したがって、ＰＣフーチング部材にかかる鉛直荷重は、杭頭に効果的に伝達されない。
【先行技術文献】
【特許文献】
【０００４】
【特許文献１】特開２００１−３５５２４６号公報
【発明の概要】
【発明が解決しようとする課題】
【０００５】
本発明は、上記事実を鑑み、基礎部の少なくとも下部側を構成するプレキャスト基礎部材にかかる鉛直荷重を杭頭に効果的に伝達させることが目的である。
【課題を解決するための手段】
【０００６】
請求項１の発明は、基礎地盤に設けられた基礎部の少なくとも下部側を構成するプレキャスト製のプレキャスト基礎部材と、前記プレキャスト基礎部材に形成され、前記基礎地盤に建て込まれた杭の杭頭の上端面が、前記プレキャスト基礎部材の上面よりも下側に位置すると共に、充填材が充填された杭頭挿入部と、前記杭頭挿入部に設けられ、前記杭頭挿入部に充填された前記充填材と応力を伝達する挿入部側応力伝達手段と、前記杭頭の周壁に設けられ、前記杭頭挿入部に充填された前記充填材と応力を伝達する杭頭側応力伝達部材と、
を備えている。
【０００７】
請求項１の発明では、基礎部の少なくとも下部側をプレキャスト製のプレキャスト基礎部材とすることで、施工性が向上する。また、杭の施工時の偏心を杭頭挿入部で吸収することができる。また、杭頭挿入部に設けられた挿入部側応力伝達手段によって、杭頭挿入部に充填された充填材とプレキャスト基礎部材との間で応力が伝達される。
【０００８】
杭頭の上端面はプレキャスト基礎部材の上面よりも下側に位置している。よって、プレキャスト基礎部材にかかる鉛直荷重が、充填材を介して、杭頭に作用する。したがって、プレキャスト基礎部材にかかる鉛直荷重が、杭頭に効果的に伝達される
また、杭頭の周壁に設けられた杭頭側応力伝達部材によって、杭頭挿入部に充填された充填材と杭頭との間で応力が伝達される。
請求項２に記載の発明は、前記杭頭側応力伝達部材は、前記杭頭の周壁に接合されたフラットプレートである、請求項１に記載の基礎構造である。
【０００９】
請求項３の発明は、前記プレキャスト基礎部材は、前記基礎部の下部側を構成し、前記プレキャスト基礎部材には、前記基礎部の上部側を構成する上部側基礎部との間で引張応力を伝達する引張応力伝達手段が設けられている。
【００１０】
請求項３の発明では、上部側基礎部に作用する引張応力が、引張応力伝達手段を介して、プレキャスト基礎部材を介して杭頭に効果的に伝達される。
【００１１】
請求項４の発明は、前記プレキャスト基礎部材は、前記基礎部の下部側を構成し、前記基礎部の上部側を構成する上部側基礎部が、プレキャスト製とされている。
【００１２】
請求項４の発明では、基礎部の下部側をプレキャスト製のプレキャスト基礎部材とし、更に上部側もプレキャスト製とすることで、施工性が更に向上する。
請求項５の発明は、前記挿入部側応力伝達手段は、内面及び外面にシアコッターを有する鋼管である、請求項１〜請求項４のいずれか１項に記載の基礎構造である。
請求項６の発明は、前記挿入部側応力伝達手段は、内面及び外面にシアコッターを有する鋼管であり、前記引張応力伝達手段は、前記鋼管の外面に接合された杭鉄筋である、請求項３に記載の基礎構造である。
請求項７の発明は、前記挿入部側応力伝達手段及び前記引張応力伝達手段は、前記杭頭挿入部に設けられると共に前記プレキャスト基礎部材の上面から突出する内面及び外面にシアコッターを有する鋼管である、請求項３に記載の基礎構造である。
請求項８の発明は、前記基礎部には、鉄骨梁と鋼管柱との仕口部が埋設され支持されている、請求項１〜請求項７のいずれか１項に記載の基礎構造である。
【発明の効果】
【００１３】
本発明によれば、基礎部の少なくとも下部側を構成するプレキャスト基礎部材にかかる鉛直荷重を杭頭に効果的に伝達することができる。
【図面の簡単な説明】
【００１４】
【図１】本発明の基礎構造が適用された第一実施形態の基礎部の断面図である。
【図２】図１の基礎部の下部側を構成する下側プレキャスト基礎部材の断面図である。
【図３】図１に示す第一実施形態の変形例の基礎部の下部側を構成する下側プレキャスト基礎部材の断面図である。
【図４】第二実施形態の基礎部の下部側を構成する下側プレキャスト基礎部材の断面図である。
【図５】第三実施形態の基礎部の下部側を構成する下側プレキャスト基礎部材の断面図である。
【図６】第四実施形態の基礎部の下部側を構成する下側プレキャスト基礎部材の断面図である。
【図７】第五実施形態の基礎部の下部側を構成する下側プレキャスト基礎部材の断面図である。
【図８】半固定構造（半剛接構造）の基礎部の断面図である。
【発明を実施するための形態】
【００１５】
＜第一実施形態＞
本発明の第一実施形態の基礎構造について説明する。
【００１６】
（構造）
図１に示すように、基礎地盤１０には土間スラブ１２が打設されていると共に、杭４０が建て込まれている。杭４０上には、基礎部の一例としてのブロック状のフーチング１００が設けられている。このフーチング１００には、鉄骨梁２０と鋼管柱３０との仕口部４５が埋設され支持されている。
【００１７】
鋼管柱３０の壁面３０Ａには断面Ｈ形状の接続部２２が接合され、この接続部２２に鉄骨梁２０が接続プレート２４によってボルト締結されている。また、鉄骨梁２０上にスラブ１４が打設されている。なお、鉄骨梁２０は、土間スラブ１２と間隔をあけて配置されている。また、本実施形態では、鉄骨梁２０は、平面視において十字状に配置されている。
【００１８】
鋼管柱３０の下側には、柱脚部３２が接合されている。柱脚部３２は、後述する土間スラブ１２と上面１４０Ｕが面一になるように打設されたコンクリート部１４０（土間コンクリート部１４４）の上に設けられている。
【００１９】
フーチング１００には、複数のフーチング鉄筋１０２，１０４，１０６，１０８及び杭鉄筋１１０が配筋されている。また、フーチング１００の下部側は、プレキャスト製の下側プレキャスト基礎部材１２０で構成されている。
【００２０】
図１及び図２に示すように、本実施形態では、下側プレキャスト基礎部材１２０は、下部が基礎地盤１０に埋設されている。また、下側プレキャスト基礎部材１２０の上面１２０Ｕは、土間スラブ１２の上面１２Ｕよりも下側に位置している。
【００２１】
下側プレキャスト基礎部材１２０には、杭４０の杭頭４２が挿入される上下方向に貫通した杭頭挿入孔１２２が形成されている。杭頭挿入孔１２２には輪切りされた輪切鋼管１３０が挿入されている（埋め込まれている）。なお、輪切鋼管１３０は、円筒であってもよいし角筒であってもよい。
【００２２】
輪切鋼管１３０の内面及び外面には、シアコッターとして機能するフラットプレート１３２が接合されている。また、輪切鋼管１３０の外面の上部には、杭鉄筋１１０の下端部が接合されている。
【００２３】
また、杭鉄筋１１０は、下側プレキャスト基礎部材１２０の上面１２０Ｕから突出している。なお、縦方向に配筋されたフーチング鉄筋１０２も下側プレキャスト基礎部材１２０の上面１２０Ｕから突出している。
【００２４】
前述したように、輪切鋼管１３０（杭頭挿入孔１２２）には、杭４０の杭頭４２が挿入されている。なお、杭頭４２の上端面４２Ｕは、下側プレキャスト基礎部材１２０の上面１２０Ｕよりも下側に位置するように挿入されている。また、杭４０の杭頭４２の周壁４２Ａには、シアコッターとして機能するフラットプレート４４が接合されている。
【００２５】
なお、図２に想像線（二点破線）で示す支持部材７０の説明は後述する。
【００２６】
（施工方法）
つぎに、施工方法の一例を説明する。
【００２７】
図２に示すように、予め工場等で下側プレキャスト基礎部材１２０を作製する。一方、現場において、基礎地盤１０に杭４０を建て込む。そして、杭４０の杭頭４２が輪切鋼管１３０（杭頭挿入孔１２２）に挿入されるように、下側プレキャスト基礎部材１２０を設置する。また、土間スラブ１２を打設する。
【００２８】
図１に示すように、下側プレキャスト基礎部材１２０の上にフーチング鉄筋１０６を配筋し、輪切鋼管１３０（杭頭挿入孔１２２）にコンクリートを充填すると共に、下側プレキャスト基礎部材１２０の上に、土間スラブ１２の上面１２Ｕと上面１４０Ｕが面一又は略面一になるようにコンクリートを打設する。
【００２９】
なお、便宜上、下側プレキャスト基礎部材１２０の輪切鋼管１３０（杭頭挿入孔１２２）のコンクリート部分を杭頭コンクリート部１４２とし、下側プレキャスト基礎部材１２０の上の土間スラブ１２に対応するコンクリート部分を土間コンクリート部１４４とし、これら全体をコンクリート部１４０とする。
【００３０】
コンクリート部１４０が固化したのち、仕口部４５の柱脚部３２を土間コンクリート部１４４（上面１４０Ｕ）の上に設置し、鉄骨梁２０を接合する。また、フーチング鉄筋１０４を配筋し、フーチング１００の上部をコンクリートで打設する。
【００３１】
なお、上記施工方法は一例であって、これに限定されるものではない。
【００３２】
或いは、例えば、図２に想像線（二点破線）で示すように、杭頭４２の上端面４２Ｕに仮設の支持部材７０を設け、この支持部材７０の上に仕口部４５の柱脚部３２を載せて、コンクリート部１４０を打設してもよい。こうすることによって、コンクリート部１４０が固化する前に、０節の建方を先行して行うことができる。
【００３３】
（作用及び効果）
つぎに、本実施形態の作用及び効果について説明する。
【００３４】
フーチング１００の下部側をプレキャスト製の下側プレキャスト基礎部材１２０とすることで、施工性が向上する。また、杭４０の施工時の偏心が、下側プレキャスト基礎部材１２０の杭頭挿入孔１２２と杭頭４２との間の所謂遊びで吸収される。
【００３５】
また、杭４０の杭頭４２に設けられたフラットプレート（シアコッター）４４によって、輪切鋼管１３０（杭頭挿入孔１２２）にコンクリートが充填されて形成された杭頭コンクリート部１４２と杭頭４２との間で応力が伝達される。また、輪切鋼管１３０に内周及び外周に設けられたフラットプレート（シアコッター）１３４によってコンクリート部１４０と下側プレキャスト基礎部材１２０との間で応力が伝達される。
【００３６】
なお、杭頭４２の上端面４２Ｕは下側プレキャスト基礎部材１２０の上面１２０Ｕよりも下側に位置している。よって、鋼管柱３０の軸力が、コンクリート部１４０の杭頭４２の上端面４２Ｕよりも上側のコンクリート介して杭頭４２に作用する。したがって、下側プレキャスト基礎部材１２０にかかる鉛直荷重が、杭頭４２に効果的に伝達される。
【００３７】
また、フーチング１００に作用する引張応力が、杭鉄筋１１０からフラットプレート（シアコッター）１３２が接合された輪切鋼管１３０、コンクリート部１４０、杭頭４２に接合されたフラットプレート（シアコッター）４４を介して、杭頭４２に効果的に伝達される。また、杭頭４２に作用する曲げ応力及びせん断応力は、埋め込まれた杭４０の支圧による伝達と杭鉄筋１１０による伝達との累加耐力として伝達される。
【００３８】
また、杭鉄筋１１０は、杭頭４２の周壁４２Ａよりも径方向外側にある輪切鋼管１３０に接合されている。したがって、杭鉄筋１１０は杭頭４２の周壁４２Ａよりも径方向外側に位置しているので、効果的に曲げ応力に抵抗する。
【００３９】
また、このように効果的に曲げ応力に抵抗するので、杭鉄筋１１０の本数を削減することが可能となる。更に、予め工場で製造するので杭鉄筋１１０を想定した位置に容易に設けることができる。よって、杭鉄筋１１０は、杭施工誤差に関係なく、十字状に配置された鉄骨梁２０に干渉することなく、容易に配筋することができる。
【００４０】
（変形例）
図３に示すように、本実施形態の変形例のフーチング１０１の下側プレキャスト基礎部材１２１は、上面１２１Ｕが土間スラブ１２の上面１２Ｕと面一又は略面一に位置している。また、下側プレキャスト基礎部材１２１には、フーチング鉄筋１０６が埋設されている。なお、杭頭挿入孔１２２、輪切鋼管１３０、及び杭頭コンクリート部１４２は、適宜上下方向に長くなっている。また、土間コンクリート部１４４（図１参照）は設けられない。これら以外は、第一実施形態と略同様であるので、説明を省略する。
【００４１】
また、土間スラブ１２をプレキャスト製とし、下側プレキャスト基礎部材１２１と接続する構造としてもよい。
【００４２】
＜第二実施形態＞
つぎに、本発明の第二実施形態に係る基礎構造について説明する。なお、第一実施形態と同一の部材には、同一の符号を付し、重複する説明は省略する。例えば、鉄骨梁２０や鋼管柱３０などの図示や説明を省略している。
【００４３】
（構造）
図４に示すように、フーチング２００の下部側を構成するプレキャスト製の下側プレキャスト基礎部材２２０は、上下方向に貫通する杭頭挿入孔２２２が形成されている。杭頭挿入孔２２２の周壁には、コンクリートが充填されコッター２２６として機能する凹部２２４が形成された鋼板２２１が設けられている。また、鋼板２２１には、杭鉄筋１１０の下端部が接合されている。
【００４４】
なお、フーチング２００における下側プレキャスト基礎部材２２０以外の部位は、第一実施形態と略同様の構造である。
【００４５】
（施工方法）
施工方法は、第一実施形態と略同様であるので、説明を省略する。
【００４６】
（作用及び効果）
つぎに、本実施形態の作用及び効果について説明する。なお、第一実施形態と同様の作用及び効果については説明を省略する。
【００４７】
杭４０の杭頭４２に設けられたフラットプレート（シアコッター）４４によって、杭頭挿入孔２２２にコンクリートが充填されて形成されたコンクリート部１４０（図１参照）と杭頭４２との間で応力が伝達される。また、杭頭挿入孔２２２の周壁の凹部２２４にコンクリートが充填されて形成されたコッター２２６によって、コンクリート部１４０（図１参照）と下側プレキャスト基礎部材２２０との間で応力が伝達される。
【００４８】
（変形例）
本実施形態においても、第一実施形態の変形例と同様に下側プレキャスト基礎部材２２０は、上面２２０Ｕが土間スラブ１２の上面１２Ｕと面一又は略面一に位置する構成としてもよい。
【００４９】
＜第三実施形態＞
つぎに、本発明の第三実施形態に係る基礎構造について説明する。なお、第一実施形態及び第二実施形態と同一の部材には、同一の符号を付し、重複する説明は省略する。例えば、鉄骨梁２０や鋼管柱３０などの図示や説明を省略している。
【００５０】
（構造）
図５に示すように、フーチング３００の下部側を構成するプレキャスト製の下側プレキャスト基礎部材３２０における杭頭４２が挿入される上下方向に貫通する杭頭挿入孔１２２には、輪切りされた（或いは、ドラム缶状の）輪切鋼管３３０が挿入されている（埋め込まれている）。輪切鋼管３３０の内面及び外面には、シアコッターとして機能するフラットプレート１３２が接合されている。また、輪切鋼管３３０は、下側プレキャスト基礎部材３２０の上面３２０Ｕから突出している。輪切鋼管３３０の上端は、鉄骨梁２０（図１参照）の下側に位置している。なお、本実施形態では、杭鉄筋１１０（図２等を参照）が設けられていない。
【００５１】
なお、フーチング３００における下側プレキャスト基礎部材３２０以外の部位は、輪切鋼管３３０が上部側に埋設されているとことと、杭鉄筋１１０（図２等を参照）が設けられていないこと以外は、第一実施形態と略同様の構造である。
【００５２】
（施工方法）
施工方法は、第一実施形態と略同様であるので、説明を省略する。
【００５３】
（作用及び効果）
つぎに、本実施形態の作用及び効果について説明する。なお、第一実施形態及び第二実施形態と同様の作用及び効果については説明を省略する。
【００５４】
本実施形態では、下側プレキャスト基礎部材３２０の上面３２０Ｕから突出する輪切鋼管３３０が、杭鉄筋１１０（図１を参照）の代わりを成す。よって、フーチング３００に作用する引張応力は、フラットプレート（シアコッター）１３２が接合された輪切鋼管３３０、コンクリート部１４０（図１参照）、杭頭４２のフラットプレート（シアコッター）４４を介して、杭頭４２に効果的に伝達される。
【００５５】
また、杭鉄筋１１０の代わりを成す輪切鋼管３３０は、杭頭４２の周壁４２Ａよりも径方向外側にあるので、効果的に曲げ応力に抵抗する。また、杭鉄筋１１０を無くすことで施工性が向上する。
【００５６】
（変形例）
本実施形態においても、第一実施形態の変形例と同様に下側プレキャスト基礎部材３２０は、上面３２０Ｕが土間スラブ１２の上面１２Ｕと面一又は略面一に位置する構成としてもよい。
【００５７】
＜第四実施形態＞
つぎに、本発明の第四実施形態に係る基礎構造について説明する。なお、第一実施形態〜第三実施形態と同一の部材には、同一の符号を付し、重複する説明は省略する。
【００５８】
（構造）
図６に示すように、フーチング４００の下部側は、プレキャスト製の下側プレキャスト基礎部材１２０で構成されている。下側プレキャスト基礎部材１２０は、第一実施形態と同様の構造であるので、説明を省略する。
【００５９】
フーチング４００の上部側もプレキャスト製の上側プレキャスト基礎部材４５０で構成されている。上側プレキャスト基礎部材４５０には、鉄骨梁２０と鋼管柱３０の下端部３１と、鋼管柱３０の下端部３１の壁面３０Ａに接合された断面Ｈ形状の接続部材４５２とで構成された仕口部４４０が埋設されている。なお、上側プレキャスト基礎部材４５０の側面から接続部材４５２が突出している。そして、接続部材４５２の突出した部分に、鉄骨梁２０が接続プレート２４によってボルト締結されている。なお、鋼管柱３０の下側には、柱脚部３２（図１参照）は接合されていない。
【００６０】
上側プレキャスト基礎部材４５０には、下側プレキャスト基礎部材１２０から突出する杭鉄筋１１０とフーチング鉄筋１０２とが挿入される鉄筋挿入孔４５４，４５６が形成されている。
【００６１】
（施工方法）
つぎに、施工方法の一例を説明する。
【００６２】
図６に示すように、予め工場等で下側プレキャスト基礎部材１２０と上側プレキャスト基礎部材４５０とを作製する。一方、現場において、基礎地盤１０に杭４０を建て込む。そして、杭４０の杭頭４２が輪切鋼管１３０（杭頭挿入孔１２２）に挿入されるように、下側プレキャスト基礎部材１２０を設置する。
【００６３】
土間スラブ１２を打設する。また、下側プレキャスト基礎部材１２０の上にフーチング鉄筋１０６を配筋し、輪切鋼管１３０（杭頭挿入孔１２２）にコンクリートを充填すると共に、下側プレキャスト基礎部材１２０の上にコンクリートを打設する。
【００６４】
コンクリート部１４０が固化したのち、上側プレキャスト基礎部材４５０を設置し、鉄筋挿入孔４５４，４５６にグラウト材を充填する。接続部材４５２に鉄骨梁２０を接続プレート２４によってボルト締結する。
【００６５】
なお、上記施工方法は一例であって、これに限定されるものではない。第一実施形態と同様に、種々の方法で施工することができる。
【００６６】
（作用及び効果）
つぎに、本実施形態の作用及び効果について説明する。なお、第一実施形態〜第三実施形態と同様の作用及び効果については説明を省略する。
【００６７】
本実施形態では、フーチング４００の下部側をプレキャスト製の下側プレキャスト基礎部材１２０とし、更に上部側もプレキャスト製の上側プレキャスト基礎部材４５０とすることで、施工性が更に向上する。
【００６８】
（変形例）
本実施形態では、フーチング４００の下部側は第一実施形態の下側プレキャスト基礎部材１２０であったが、これに限定されない。フーチングの下部側は第二実施形態の下側プレキャスト基礎部材２２０又は第三実施形態の下側プレキャスト基礎部材３２０であってもよい。これらの場合は、フーチングの上部側のプレキャスト製の上側プレキャスト基礎部材には、杭鉄筋１１０や輪切鋼管３３０が挿入される挿入孔が適宜形成され、これら挿入孔にはそれぞれグラウト材が充填される。また、上側プレキャスト基礎部材４５０の鉄筋挿入孔４５６間を上下方向に貫通する貫通孔とした構成であってもよい。
【００６９】
また、第一実施形態〜第三実施形態の変形例のように、下側プレキャスト基礎部材は、上面が土間スラブ１２の上面１２Ｕと面一又は略面一に位置する構成としてもよい。
【００７０】
＜第五実施形態＞
つぎに、本発明の第五施形態に係る基礎構造について説明する。なお、第一実施形態〜第四実施形態と同一の部材には、同一の符号を付し、重複する説明は省略する。
【００７１】
（構造）
図７に示すように、基礎地盤１０には土間スラブ１２が打設されていると共に、杭４０が建て込まれている。杭４０上には、基礎部の一例としてのブロック状のフーチング５００が設けられている。このフーチング５００には、この図では図示が省略されている梁と柱との仕口部が埋設され支持されている。
【００７２】
本実施形態のフーチング５００は、全体がプレキャスト製とされ、図示されてない複数のフーチング鉄筋が配筋されている。
【００７３】
このプレキャスト製のフーチング５００の下面部には、杭４０の杭頭４２が挿入される杭頭挿入凹部５２０が形成されている。杭頭挿入凹部５２０の周壁５２２には、コンクリートが充填されコッター２２６として機能する凹部２２４が形成された鋼板２２１が設けられている。また、鋼板２２１には、杭鉄筋１１０の下端部が接合されている。
【００７４】
また、フーチング５００には、杭頭挿入凹部５２０に連通する充填孔５１０と排出孔５１２が形成されている。なお、杭頭４２の上端面４２Ｕはプレキャスト製のフーチング５００の上面５００Ｕよりも下側に位置している。
【００７５】
（施工方法）
つぎに、施工方法の一例を説明する。
【００７６】
予め工場等でプレキャスト製のフーチング５００を作製する。一方、現場において、基礎地盤１０に杭４０を建て込む。そして、杭４０の杭頭４２が杭頭挿入凹部５２０に挿入されるようにフーチング５００を設置する。また、土間スラブ１２を打設する。
【００７７】
充填孔５１０から杭頭挿入凹部５２０にコンクリートを充填する。なお、排出孔５１２から空気及びコンクリートが排出される。なお、コンクリートが充填された状態は図示されていないが、杭頭挿入凹部５２０に充填されたコンクリートをコンクリート部５３０とする。
【００７８】
なお、上記施工方法は一例であって、これに限定されるものではない。種々の方法で施工することができる。
【００７９】
（作用及び効果）
つぎに、本実施形態の作用及び効果について説明する。なお、第一実施形態〜第四実施形態と同様の作用及び効果については説明を省略する。
【００８０】
フーチング５００全体をプレキャスト製とすることで、施工性が向上する。また、杭４０の施工時の偏心が杭頭挿入凹部５２０と杭頭４２との間の所謂遊びで吸収される。
【００８１】
杭４０の杭頭４２に設けられたフラットプレート（シアコッター）４４によって、杭頭挿入凹部５２０にコンクリートが充填されて形成されたコンクリート部５３０と杭頭４２との間で応力が伝達される。また、杭頭挿入凹部５２０の周壁５２２の凹部２２４にコンクリートが充填されて形成されたコッター２２６よってコンクリート部５３０とプレキャスト製のフーチング５００との間で応力が伝達される。
【００８２】
（変形例）
本実施形態では、杭頭４２が挿入される部位は、凹状の杭頭挿入凹部５２０であったがこれに限定されない。上下に貫通した貫通孔に杭頭４２が挿入される構成であってもよい。
【００８３】
或いは、杭頭挿入凹部５２０に第一実施形態の輪切鋼管１３０又は第三実施形態の輪切鋼管３３０が設けられていてもよい。
【００８４】
＜その他＞
尚、本発明は上記実施形態に限定されない。
【００８５】
例えば、第一実施形態、第二実施形態、第四実施形態、及び第五実施形態では、杭鉄筋１１０が設けられた構造であったが、杭鉄筋１１０が設けられていない半固定構造（半剛接構造）の基礎構造であってもよい。
【００８６】
ここで、一例として図８に示す半固定構造（半剛接構造）について説明する。図８に示す半固定構造（半剛接構造）の基本的な構造は、図１に示す第一実施形態の基礎構造と同様であるが、つぎの点が異なっている。
【００８７】
前述したように、杭鉄筋１１０が設けられていない。また、下側プレキャスト基礎部材１２３は、図１の下側プレキャスト基礎部材１２１よりも厚みが薄くなっている。更に、杭頭４２には、フラットプレート４４が接合されておらず、下側プレキャスト基礎部材１２３（杭頭挿入孔１２２）への飲み込み量が小さくなっている。
【００８８】
また、上記実施形態では、杭頭挿入部に充填する充填材は、コンクリートであったが、これに限定されない。例えば、グラウト材や高流動コンクリートであってもよい。
【００８９】
また、上記実施形態では、フラットプレート（シアコッター）４４及びフラットプレート（シアコッター）１３２、凹部２２２４（コッター２２６）によって応力を伝達したが、これに限定されない。例えば、スタッド、鉄筋、或いはフラットバー等を設けて応力の伝達を行う構造であってもよい。要は、杭頭挿入部に充填された充填材と応力を伝達する杭頭側応力伝達手段が杭頭に設けられ、また、杭頭挿入部に充填された充填材と応力を伝達する挿入部側応力伝達手段が杭頭挿入部に設けられていればよい。なお、杭頭に杭頭側応力伝達手段が設けられていない構造であってもよい。
【００９０】
また、フーチングに埋設された鉄骨梁２０、鋼管柱３０、及び接続部２２、４５２にフラットプレート（シアコッター）、スタッド、フラットバー、及びジベル等の応力伝達部材を設けてもよい。なお、この場合、応力伝達部材によって鉄骨梁２０及び鋼管柱３０からフーチングに応力が伝達される。
【００９１】
また、上記実施形態では、四つの鉄骨梁２０がフーチングに平面視十字状に接続（配置）されていたが、これに限定されない。三つ以下の鉄骨梁２０がフーチングに接続された構造であってもよい。また、鋼管柱３０のみが接続された構造であってもよい。
【００９２】
また、上記実施形態では、鉄骨梁２０と鋼管柱３０とがフーチングに接続されていたが、これに限定されない。例えば、鉄筋コンクリート造や鉄骨鉄筋コンクリート造の梁及び柱が接続されていてもよい。更に、フーチングに梁及び柱が接続されていない構造、例えば、マットスラブ構造であってもよい。
【００９３】
また、杭４０は、どのような杭であってもよい。すなわち、ＰＣ杭、ＲＲＣ杭、ＳＣ杭、Ｓ杭、場所打杭など、全ての杭を適用することが可能である。
【００９４】
また、上記実施形態では、フーチング（下側プレキャスト基礎部）の下部は基礎地盤１０に埋設されていたが、これに限定さない。フーチング（下側プレキャスト基礎部）の下部が基礎地盤１０に埋設されていない構成であってもよい。或いはフーチング（下側プレキャスト基礎部）の基礎部分が基礎地盤１０に埋設されていてもよいし、フーチング全体が基礎地盤１０に埋設されていてもよい。
【００９５】
また、土間スラブ１２は必須の構成要素ではない。例えば、構造スラブであってもよいし、スラブが無い構成であってもよい。
【００９６】
また、第一実施形態、第二実施形態、第三実施形態、及び第五実施形態においても、第四実施形態のように、フーチングの側面から接続部材４５２が突出し、この接続部材４５２の突出した部分に、鉄骨梁２０が接続プレート２４によってボルト締結された構成としてもよい。更に、鉄骨梁２０は接続プレート２４によってボルト締結されていたが、これに限定されない。例えば、溶接による接合であってもよいし、ブラケットによる接合であってもよい。
【００９７】
また、上記複数の実施形態及び変形例は適宜組み合わせて実施してもよい。
更に、本発明の要旨を逸脱しない範囲において種々なる態様で実施し得ることは言うまでもない。
【符号の説明】
【００９８】
１０      基礎地盤
４０      杭
４２      杭頭
４２Ｕ    上端面
４４      フラットプレート（杭頭側応力伝達手段）
１００      フーチング（基礎部）
１１０      杭鉄筋（引張応力伝達手段）
１２０      下側プレキャスト基礎部材（プレキャスト基礎部材）
１２０Ｕ    上面
１２１      下側プレキャスト基礎部材（プレキャスト基礎部材）
１２１Ｕ    上面
１２２      杭頭挿入孔（杭頭挿入部）
１３０      輪切鋼管（挿入部側応力伝達手段）
１３２      フラットプレート（挿入部側応力伝達手段、引張応力伝達手段）
２００      フーチング（基礎部）
２２０      下側プレキャスト基礎部材（プレキャスト基礎部材）
２２０Ｕ    上面
２２２      杭頭挿入孔（杭頭挿入部）
３００      フーチング（基礎部）
３２０      下側プレキャスト基礎部材（プレキャスト基礎部材）
３２０Ｕ    上面
３３０      輪切鋼管（挿入部側応力伝達手段、引張応力伝達手段）
４００      フーチング（基礎部）
４２０      下側プレキャスト基礎部材（プレキャスト基礎部材）
４５０      上側プレキャスト基礎部材（上部側基礎部）
５００      フーチング（基礎部、プレキャスト基礎部材）
５２２      杭頭挿入凹部（杭頭挿入部）
【図１】
0006418876.tif 000002
【図２】
0006418876.tif 000003
【図３】
0006418876.tif 000004
【図４】
0006418876.tif 000005
【図５】
0006418876.tif 000006
【図６】
0006418876.tif 000007
【図７】
0006418876.tif 000008
【図８】
0006418876.tif 000009